(57)【特許請求の範囲】
【請求項１】
クローラ５を有する車台６上に、穀稈を刈り取って搬送する刈取装置７と、搬送されてきた穀稈を受けて脱穀する脱穀装置８と、脱穀された穀粒を収容するグレンタンク９と、該グレンタンク９の底部の底部オーガ１０によって後方へ排出される穀粒を上方へ移送する縦オーガ１１と、該縦オーガ１１の上端部に連接された排穀オーガ１２とを設けたコンバインにおいて、前記縦オーガ１１は旋回可能で前記排穀オーガ１２の水平方向の位置を決定する構成とし、排穀オーガ１２は伸縮シリンダ１４によって上下方向に角度変更することが可能な構成とし、排穀オーガ１２は、縦オーガ１１の上に連結する基部筒１５と、この先端側外周に嵌合して伸縮可能なズーム筒１６とから構成し、前記基部筒１５内には外周面に螺旋１７を有した螺旋軸１８を軸装し、前記ズーム筒１６内には前記螺旋軸１８内に嵌挿して角軸からなる螺旋軸４を軸装し、該螺旋軸４をズーム筒１６と一体的に移動可能に構成し、該螺旋軸４に沿って、周面に螺旋１を形成した一定長さの螺旋ボス２を複数嵌挿するにあたり、螺旋軸４の長手方向へは移動自在であるが回転方向へは一体的に回転するように構成し、前記各螺旋ボス２の間には一定長さのばね３を介装して構成し、各螺旋ボス２連接時の各螺旋１の位相を連続させて構成し、さらに、前記各ばね３は筒部３０内に収容して構成すると共に、各螺旋ボス２の移動にかかわらず常に各ばね３が露出しないように構成したことを特徴とするコンバインの排穀オーガ。
【発明の詳細な説明】
【０００１】
【産業上の利用分野】
この発明は、コンバインの排穀オーガに関し、グレンタンクに収容された収穫穀粒を機外へ取出搬送するものである。
【０００２】
【従来の技術、及び発明が解決しようとする課題】
コンバインの排穀オーガを伸縮するために螺旋の一部を重合させるようにする形態があるが（特開昭６３−２７９７１９号、実開平１−１２１３４０号等）、このような構成では螺旋が二重に重合するものであるから、特殊な螺旋構成であることを要し、伸縮時の駆動抵抗が大きく円滑な伸縮作動が行われ難い。
【０００３】
【課題を解決するための手段】
この発明は、クローラ５を有する車台６上に、穀稈を刈り取って搬送する刈取装置７と、搬送されてきた穀稈を受けて脱穀する脱穀装置８と、脱穀された穀粒を収容するグレンタンク９と、該グレンタンク９の底部の底部オーガ１０によって後方へ排出される穀粒を上方へ移送する縦オーガ１１と、該縦オーガ１１の上端部に連接された排穀オーガ１２とを設けたコンバインにおいて、前記縦オーガ１１は旋回可能で前記排穀オーガ１２の水平方向の位置を決定する構成とし、排穀オーガ１２は伸縮シリンダ１４によって上下方向に角度変更することが可能な構成とし、排穀オーガ１２は、縦オーガ１１の上に連結する基部筒１５と、この先端側外周に嵌合して伸縮可能なズーム筒１６とから構成し、前記基部筒１５内には外周面に螺旋１７を有した螺旋軸１８を軸装し、前記ズーム筒１６内には前記螺旋軸１８内に嵌挿して角軸からなる螺旋軸４を軸装し、該螺旋軸４をズーム筒１６と一体的に移動可能に構成し、該螺旋軸４に沿って、周面に螺旋１を形成した一定長さの螺旋ボス２を複数嵌挿するにあたり、螺旋軸４の長手方向へは移動自在であるが回転方向へは一体的に回転するように構成し、前記各螺旋ボス２の間には一定長さのばね３を介装して構成し、各螺旋ボス２連接時の各螺旋１の位相を連続させて構成し、さらに、前記各ばね３は筒部３０内に収容して構成すると共に、各螺旋ボス２の移動にかかわらず常に各ばね３が露出しないように構成したことを特徴とするコンバインの排穀オーガの構成とする。
【０００４】
【作用、及び発明の効果】
排穀オーガ１２のズーム筒１６を伸縮するときは、螺旋ボス２を軸装する筒体と螺旋軸４とを共に軸方向へ伸縮移動することによって、この螺旋軸４の各螺旋ボス２の間隔がばね３の張圧力で又は張圧力に抗して拡縮されて、長さの調節乃至収納長さ等変更することができる。各螺旋ボス２間の間隔を長くした場合も、短かくした場合も、螺旋軸４を回転することによって穀粒移送を行わせることができる。
【０００５】
このように螺旋軸４に軸装する各螺旋ボス２をばね３に抗して伸縮移動することによって、各螺旋ボス２間隔を拡縮するものであるから、螺旋軸４及び螺旋ボス２の伸縮移動が円滑、迅速に行われ、構成も簡単化し、安価な構成とすることができる。
しかも、螺旋軸４に沿って拡縮移動される各螺旋ボス２は、相互に前後に接近して連接されたときは、各螺旋１面が連続形成されて、各ばね３の露出も少くなり、滑らかな一連の螺旋移送面によって円滑な効率のよい移送を行うことができる。
また、各ばね３は筒部３０内に収容して構成すると共に、各螺旋ボス２の移動にかかわらず常に各ばね３が露出しないように構成しているので、搬送抵抗が少なくなる。
【０００６】
【実施例】
コンバインは、クローラ５を有する車台６上に、穀稈を刈取搬送する刈取装置７、この搬送される穀稈を受けて脱穀する脱穀装置８、脱穀された穀粒を収容するグレンタンク９、このグレンタンク９の底部の底部オーガ１０によって後方へ排出される穀粒を上方へ移送する縦オーガ１１、及び、この上端部に連接されて水平方向へ移送しうる排穀オーガ１２等を設ける。１３は操縦席である。
【０００７】
縦オーガ１１は旋回可能で、排穀オーガ１２の水平方向の位置を決定することができ、又、この上端部には排穀オーガ１２が伸縮シリンダ１４によって上下方向に角度変更することができる。縦オーガ１１、及び底部オーガ螺旋を内装している。
該排穀オーガ１２は、縦オーガ１１の上に連結する基部筒１５と、この先端側外周に嵌合して伸縮できるズーム筒１６とを有し、これら基部筒１５内には外周面に螺旋１７を有した螺旋軸１８を軸装し、ズーム筒１６内には、該螺旋軸１８内に嵌挿して伸縮自在の角軸乃至スプライン軸からなる螺旋軸４を軸装し、該ズーム筒１６と一体的に伸縮できる。
【０００８】
この螺旋軸４に沿って、一定長さの螺旋ボス２を嵌挿して、螺旋軸４の方向へは移動自在であるが回転方向へは一体的に回転するように構成している。又、各螺旋ボス２の間には一定長さのばね３を介装している。各螺旋ボス２の外周には螺旋１を形成している。
１９はズーム筒１６先端の排出口、２０はズーム筒１６を基部筒１５に対して伸縮する螺杆で、基部筒１５のブラケット２２に回転自在に支持し、モータＭ１の正逆回転によって駆動され、先端側をズーム筒１６側のブラケット２１に螺合させている。２３は軸受メタルで、基部筒１５の先端部内に設けられて、螺旋軸１８の先端部を軸受けする。
【０００９】
基部筒１５の先端部に若干径の大きい軸受筒体２５を設け、ズーム筒１６をこれらの軸受筒体２５の外周に亘って嵌挿して円滑に伸縮案内させる。前記軸受メタル２３はこの先端側の軸受筒体２５の内周に取付けている。
前記各螺旋ボス２は、短縮した状態で一連の螺旋１面を連続形成するように、各螺旋ボス２の角断面の螺旋軸４に嵌合させている。又、螺旋ボス２は前後にばね３を収容するように中空部２９を形成し、短縮時は中空部２９でばね３を露出させないように密閉、乃至ばね３の露出を少くするように構成している。
【００１０】
図５、図６において、上例と異なる点は、前記各螺旋ボス２の一端部の中空部２９に、反対側端部の小径の筒部３０を嵌合させて、螺旋軸４の方向へ、これら中空部２９及び筒部３０内にばね３を収容し、各螺旋ボス２の拡（図５）、縮（図６）に拘らず常にばね３が露出しないようにして、搬送抵抗を少くしうる構成としている。
【００１１】
基部筒１５の先端部に若干径の大きい筒体２５を固定して設け、ズーム筒１６をこの筒体２５の外周に嵌挿し伸縮案内させる。前記軸受メタル２３はこの筒体２５の内周に取付けている。
図７において、上例と異なる点は、前記基部筒１５の螺旋軸１８の先端部に、軸受メタル２３にベアリング３１介在させて軸受される角穴の軸受メタル３２を嵌合して溶接等で一体的に回転すべく構成し、この軸受メタル３２は螺旋軸１８側からベアリング３１内へ嵌挿し、螺旋軸４側の軸受メタル３２の周面に止め輪３３を嵌合して、軸受メタル３２の抜け止めとし、簡単な組立構成としている。又、螺旋ボス２側の螺旋軸４は、角軸として該軸受メタル３２の角穴部に嵌合することによって、螺旋軸１８側の回転によって駆動される。
【００１２】
図８において、上例と異なる点は、前記基部筒１５内の螺旋軸１８上の螺旋径Ｄ１に対して、ズーム筒１６内の螺旋軸４上の螺旋１径Ｄ２を大きく設定して、穀粒の搬送力を等しくするか、螺旋１側を大きくするように設定する。
図９において、上例と異なる点は、前記ばね３に代えて、螺旋コイルを兼ねるつる巻状のコイルばね３４を各螺旋ボス２間に設け、このコイルばね３４の弾性によって螺旋ボス２の間隔を拡縮すると共に、穀粒の搬送力を得る構成としたもので、移送効率の低下を防止するものである。
【図面の簡単な説明】
【図１】排穀オーガ部の側面図。
【図２】その作用を示す側面図。
【図３】その一部の拡大側面図と断面図。
【図４】コンバインの側面図。
【図５】一部別実施例を示す側面図。
【図６】その作用を示す側面図。
【図７】一部別実施例を示す側面図。
【図８】一部別実施例を示す側面図。
【図９】一部別実施例を示す側面図。
【符号の説明】
１    螺旋
２    螺旋ボス
３    ばね
４    螺旋軸
５ クローラ
６ 車台
７ 刈取装置
８ 脱穀装置
９ グレンタンク
１０ 底部オーガ
１１ 縦オーガ
１２ 排穀オーガ
１４ 伸縮シリンダ
１５ 基部筒
１６ ズーム筒
１７ 螺旋
１８ 螺旋軸
３０ 筒部
【図１】
0003596067.tif 000002
【図２】
0003596067.tif 000003
【図３】
0003596067.tif 000004
【図４】
0003596067.tif 000005
【図５】
0003596067.tif 000006
【図６】
0003596067.tif 000007
【図７】
0003596067.tif 000008
【図８】
0003596067.tif 000009
【図９】
0003596067.tif 000010